(57)【要約】【課題】冷媒音を低減させた冷媒分流器を提供すること。【解決手段】本発明の冷媒分流器は、流入管と流出管とを接続して冷媒を合流または分流する冷媒分流器であって、略直方体形状の本体と、本体内部に形成され冷媒が合流する合流部と、本体の側面であって合流部と連通し複数の流入管または流出管を挿入する挿入穴とを備えるとともに、本体の上端側から斜め方向下方側に向かって合流部が形成されるとともに、複数の流入管のうち最上段の流入管の上端部と、流出管の上端部とが略同一平面となるように挿入穴が形成される。【選択図】図１
2011021788.tif 000002
【特許請求の範囲】
【請求項１】
流入管と流出管とを接続して冷媒を合流または分流する冷媒分流器であって、略直方体形状の本体と、前記本体内部に形成され冷媒が合流する合流部と、前記本体の側面であって前記合流部と連通し前記複数の流入管または前記流出管を挿入する挿入穴とを備えるとともに、前記本体の上端側から斜め方向下方側に向かって前記合流部が形成されるとともに、前記複数の流入管のうち最上段の流入管の上端部と、前記流出管の上端部とが略同一平面となるように前記挿入穴が形成されることを特徴とする冷媒分流機。
【請求項２】
前記流入管の左右端部と、前記流出管の左右端部とが一致するように前記挿入穴が形成されていることを特徴とする冷媒分流機。
【発明の詳細な説明】
【技術分野】
【０００１】
本発明は、冷媒を合流もしくは分流する冷媒分流器に関するものである。
【背景技術】
【０００２】
従来の冷媒分流器を図４に示す。図４に示すように、従来の冷媒分流器は、略直方体形状の本体１００に、上端部側から垂直下方に合流部１０１が形成され、蓋１０２で覆っている。そして、合流部１０１に連通するように本体１００には複数の挿入穴が設けられており、本体１００の一端側には複数の挿入穴１０３が設けられ、本体１００の他端側には一つの挿入穴１０４が設けられている。
【０００３】
そして挿入穴１０３および１０４には、流入管１０５および流出管１０６が接続され、流入管１０５から流入する冷媒が、合流部１０１で合流し、流出管１０６へ流出するようになっていた（例えば、特許文献１参照）。
【先行技術文献】
【特許文献】
【０００４】
【特許文献１】特開２００５−２２１０８７号公報
【発明の概要】
【発明が解決しようとする課題】
【０００５】
しかしながら、図４に示すように、流入管１０５から流入してきた冷媒が合流部１０１を形成する側壁１０７へ垂直に衝突してしまい、冷媒に乱れが生じて騒音が発生してしまうという課題を有していた。
【０００６】
本発明は、前記従来の課題を解決するもので、冷媒音を低減させた冷媒分流器を提供することを目的とする。
【課題を解決するための手段】
【０００７】
前記従来の課題を解決するために、本発明の冷媒分流器は、流入管と流出管とを接続して冷媒を合流または分流する冷媒分流器であって、略直方体形状の本体と、本体内部に形成され冷媒が合流する合流部と、本体の側面であって合流部と連通し複数の流入管または流出管を挿入する挿入穴とを備えるとともに、本体の上端側から斜め方向下方側に向かって合流部が形成されるとともに、複数の流入管のうち最上段の流入管の上端部と、流出管の上端部とが略同一平面となるように挿入穴が形成されることにより、冷媒が流入しても垂直方向に合流部を形成する側壁に当たることがなくなり、衝突音の発生を低減することができる。
【発明の効果】
【０００８】
本発明は、冷媒音を低減させた冷媒分流器を提供することができる。
【図面の簡単な説明】
【０００９】
【図１】本発明の実施の形態１における冷媒分流器の構成図
【図２】（ａ）ＡＡ断面図（ｂ）ＢＢ断面図
【図３】他の実施の形態における冷媒分流器の構成図
【図４】従来の冷媒分流器の構成図
【発明を実施するための形態】
【００１０】
第１の発明の冷媒分流器は、流入管と流出管とを接続して冷媒を合流または分流する冷媒分流器であって、略直方体形状の本体と、本体内部に形成され冷媒が合流する合流部と、本体の側面であって合流部と連通し複数の流入管または流出管を挿入する挿入穴とを備えるとともに、本体の上端側から斜め方向下方側に向かって合流部が形成されるとともに、複数の流入管のうち最上段の流入管の上端部と、流出管の上端部とが略同一平面となるように挿入穴が形成されることにより、冷媒が流入しても垂直方向に合流部を形成する側壁に当たることがなくなり、衝突音の発生を低減することができる。
【００１１】
第２の発明の冷媒分流器は、特に第１の発明において、流入管の左右端部と、流出管の左右端部とが一致するように挿入穴が形成されていることにより、さらに冷媒音を低減することができる。
【００１２】
以下、本発明の実施の形態について、図面を参照しながら説明する。なお、この実施の形態によって本発明が限定されるものではない。
【００１３】
（実施の形態１）
図１は、本発明の第１の実施形態における冷媒分流器の構成図である図１に示すように、本発明の冷媒分流器は、略直方体形状の本体１の上端部から斜め方向下側に向かって合流部２が形成されており、合流部２には蓋３で覆っている。
【００１４】
さらに、本体１には複数の挿入穴が設けられており、本体１の流入側には複数の挿入穴４が設けられており、流出側には一つの挿入穴５が設けられている。そして挿入穴４には流入管６が接続され、挿入穴５には流出管７が接続されている。
【００１５】
また複数設けられた流入管６のうち最上段に位置する流入管６の上端部と、流出管７の上端部とが略同一平面上に位置するように挿入穴４および５が設けられ、それぞれの挿入穴に配管が接続されている。
【００１６】
図２（ａ）はＡＡ断面図、図２（ｂ）はＢＢ断面図である。図２に示すように、流入管６の左右端部１０と流出管７の左右端部１１とが略一致するように接続している。このように構成することで、流入管６から合流部２へ冷媒が入る時に乱れが生じにくくなり、また合流部２から流出管７へ冷媒が入る時に乱れが生じにくくなるため、冷媒音の発生を低減することができる。
【００１７】
以上のように構成された冷媒分流器において、以下その効果について説明する。
【００１８】
本発明では、合流部２に傾斜を持たせることにより、各々の接続配管から流入する冷媒の衝突の衝撃を緩和し、また流出管７が合流部での流れの方向の最下流部に位置することにより流れが逆流することがなくスムースに流出することになる。
【００１９】
更に入り口側の複数個の流入管６の各々が、合流部２の片側接線に沿って流入する構成のため合流部に衝突する衝撃が緩和される。
【００２０】
図３は、他の実施の形態の冷媒分流器の構成図である。図３に示すように、合流部２の一方端の径を他方端の径よりも小さくした構成となっており、図１と同様の効果を有する。
【産業上の利用可能性】
【００２１】
以上のように、本発明に係る冷媒分流器は、ヒートポンプ式給湯機に限定されることはなく、空調機能、暖房機能を有したヒートポンプ熱源にも適用することができる。
【符号の説明】
【００２２】
１  本体
２  合流部
３  蓋
４  挿入穴
５  挿入穴
６  流入管
７  流出管
１０  流入管の左右端部
１１  流出管の左右端部
【図１】
2011021788.tif 000003
【図２】
2011021788.tif 000004
【図３】
2011021788.tif 000005
【図４】
2011021788.tif 000006